(57)【要約】【課題】通気性を保持しながら生理用品の確実な保持ができ、かつ着用感がよいサニタリーショーツを経済的に提供する。【解決手段】本発明のサニタリーショーツ１０は、編み組織を変えて伸縮強度を強化させた部分１３３、１３７を有する腹部１３０と臀部１３５を連続して形成した丸編編成の胴部１３と、臀部１３５の下部に延設する伸縮強化部を有する股部１５とを有する。そして、股部１５の端縁を腹部１３０の伸縮強化部１３３の下端に結合させ、腹部の伸縮強化部１３３と股部の伸縮強化部１３７を中心線Ｏに沿って連続させた構成を具備し、伸縮強化部の伸縮強度は胴回り方向に比べて中心線方向に大きくしてなる構成を有する。【選択図】　　　　図１
2004137630.tif 000002
【特許請求の範囲】
【請求項１】
股部を連続編成した臀部と腹部とを連続して丸編編成すると共に、股部を連続編成した臀部と腹部には編み組織を変えて伸縮強度を強化させた伸縮強化部を有し、臀部に連続して形成した股部の伸縮強化部を伸縮強化部を含む腹部の下端部に接合させ、腹部の伸縮強化部と臀部および股部の伸縮強化部を中心線に沿って連続するよう連結させるとともに、股部にはクロッチ部を重合してなるサニタリーショーツ。
【請求項２】
伸縮強化部の伸縮強度は胴回り方向に比べて中心線方向に大きくしてなる請求項１記載のサニタリーショーツ。
【請求項３】
クロッチ部は、股部の中心線に沿った長さ寸法を股部の長さ寸法より短く形成し、股部にクロッチ部を重合したとき形成されるクロッチ部の中心線に沿った湾曲面はその曲率半径を股部の湾曲面の曲率半径より大きくしてなる請求項１または２記載のサニタリーショーツ。
【請求項４】
股部を連続編成した臀部と、腹部とを連続させた筒状体を丸網編成する丸編筒状体形成工程と、
丸編編成の筒状体の両側を湾曲形状に切断して足繰り部を形成する足繰り部形成工程と、
腹部に連続する足繰り部を形成している部分を切断して腹部下端部を形成する工程と、
臀部に連続した股部の端縁を腹部下端に連結させる結合工程とを有し、
前記丸編筒状体形成工程において、腹部および臀部と股部に中心線に沿って編組織を変えて伸縮強度を強くした伸縮強化部を編成すると共に、前記足繰り部形成工程において、切断は伸縮強化部を回避して足繰り部が形成され、前記結合工程において、該各部の伸縮強化部は中心線に沿って連続するよう結合されるサニタリーショーツの製造方法。
【発明の詳細な説明】
【０００１】
【発明の属する技術分野】
本発明は着用感に優れ、生理用品の保持が確実であって、かつ簡単に製造できるサニタリーショーツに関するものである。
【０００２】
【従来の技術】
サニタリーショーツは経血の漏れを防止するために、防水性を持たせた素材で形成する、あるいは防水布を重ねあわせた構成とするものが多い。しかし、防水素材は通気性がないため、内部が蒸れて着用感が悪かった。
そこで、防水布の装着位置や防水布の装着範囲などを工夫して、生理用ナプキンの保持や着用感を優れたものとする工夫が成されている。・・・特許文献１、特許文献２参照
【０００３】
また、生理用品（ナプキン）を体の動きに対応して身体に密着させるために、ショーツの中心領域において、別の生地で形成された縦方向に延びる伸縮部を縫合した構成が特許文献３に開示され、特許文献４には、伸縮部を伸縮性の不織布、ゴム糸などの弾性糸が織り込まれた伸縮性の織布、または多孔性通気ゴムシートで形成した吊上げ部材とした構成が開示されている。
【０００４】
前記特許文献３、４に開示されているものは、何れもパーツ毎に裁断されている部分を縫合してショーツを形成した後に、ショーツ本体とは別体に形成されている伸縮部あるいは吊上げ部材をショーツ本体に取付ける工程を要するものであった。
また、生理用品のずれ防止と着用時の蒸れ防止対策として不織繊維層に伸縮性を有する編糸をステッチ縫合した不織布で構成されたサニタリーショーツが特許文献５に開示されている。
【０００５】
【特許文献１】
実用新案登録第３０４７１２６号公報
【特許文献２】
実用新案登録第３０１０７４７号公報
【特許文献３】
特開２００１−２７６１２９号公報
【特許文献４】
特開２００１−２４５９２９号公報
【特許文献５】
特開２０００−６０９００号公報
【０００６】
【発明が解決しようとする課題】
しかし、生理用品（ナプキン）自体の防水性が向上されている現在、サニタリーショーツの防水性の要求は弱まり、着用性・通気性などの要求が高まっている。さらに、出願人は漏れにくさを追求した結果、防水布を用いた従来のサニタリーショーツに比べて、着用する身体に防水布を用いないサニタリーショーツを密着させた方が漏れにくいことが判明した。
また、特許文献１〜４に開示された従来の技術は、複数の構成部材を縫合して構成されており、部品点数が多く、縫製工程が煩雑であり、さらに縫合線が股部分、脇部分にあって、着用感が良いものではなかった。また、特許文献５に開示されているショーツは嵩高くなってしまい、薄いショーツの要望を満足させるものではなかった。
【０００７】
そこで、本発明はこのような問題に鑑みて、製作容易であって、通気性を保持しながら生理用品の保持が確実にでき、かつ薄く着用感、および身体への密着性のよいサニタリーショーツを経済的に提供することを目的とする。
【０００８】
【課題を解決するための手段】
本発明のサニタリーショーツは、編み組織を変えて伸縮強度を強化させた部分を有する腹部と臀部を連続して形成した丸編編成の胴部と、臀部の下部に延設する伸縮強化部を有する股部とを有し、股部の端縁を伸縮強化部を含む腹部の下端に結合させ、腹部の伸縮強化部と股部の伸縮強化部を中心線に沿って連続させている。さらに、股部には中心線に沿ってクロッチ部を重合して配設している。
クロッチ部は長さ寸法を股部の長さ寸法より短く形成され、中心線に沿って股部と共に湾曲形状をなすが、クロッチ部の曲率半径は股部の曲率半径より大きくなる構成を有し、クロッチ部の上に装着される生理用品をクロッチ部と股部の伸縮強化部とで二重に身体側に持ち上げ保持する構成となっている。
【０００９】
また、本発明において、伸縮強化部の伸縮強度を胴回り方向に比べて中心線方向に大きくして、サニタリーショーツを着用者の身体に密着させる構成を有する。
【００１０】
上記の構成により、本発明のサニタリーショーツは着用者の身体に密着して漏れを防止でき、かつ製造が簡単で経済的に提供できる。
【００１１】
本発明のサニタリーショーツの製造方法は、編成を変えて伸縮性を強化させた伸縮強化部を配設し、股部を連続した臀部と腹部を連続して筒状に編成する丸編編成工程と、該伸縮強化部を回避して丸編編成の筒状体の両側を湾曲形状に切断して足繰り部を形成する足繰り部形成工程と、腹部に連続する部分を切断して腹部下端部を形成する工程と、臀部に連続した股部の端縁を腹部下端に連結させる結合工程とを有している。そして、前記結合工程において、該各部の伸縮強化部は中心線に沿って連続するよう結合されることを特徴としている。
【００１２】
【発明の実施の形態】
以下、本発明の実施の形態を図面に基いて説明する。
図１は本発明に係るサニタリーショーツの正面図、図２は背面図、図３、図４は構成説明図である。
【００１３】
サニタリーショーツ本体１０はウエスト（緊締）部１１を有する筒状胴部１３と、筒状胴部１３の一部を延設した股部１５とからなる。筒状胴部１３は着用したとき前部となる腹部１３０と、着用したとき背部となる臀部１３５とを有し、股部１５は臀部１３５に延設されている。股部１５は臀部１３５下端から腹部１３０下端とを連絡している。股部１５には生理用品などを装着するクロッチ部２０を重合している。
【００１４】
筒状胴部１３と股部１５は表にナイロンハイマルチ糸、裏に極細のスパンテックスを編み込んだ伸縮性を有する天竺編ダブルニット構造の立体編立てで編製されている。また、天竺編の筒状胴部１３の腹部１３０の中心線Ｏ―Ｏに沿った中央部分と、臀部１３５と股部１５の中心線ＯーＯに沿った中心部分に編み組織を変えた伸縮強化部を形成している。
【００１５】
伸縮強化部は例えばリブ編構成となっており、伸縮方向を矢印で示すように着用したときの縦方向（中心線ＯーＯ方向　以下単に中心線方向という）に伸縮強度を強めた構成となっている。伸縮強化部の伸縮強度は伸縮部分全体を均一に強くする、あるいは、伸縮強化部の中心部分をもっとも強くし中心線に対して幅方向に順次伸縮強度を弱くする構成などを有する。
腹部１３０の伸縮強化部１３３はウエスト１１部分から腹部中央部分を被覆する範囲に配されており、その下端部１３１は幅寸法Ｗとして股部に連結している。
臀部１３５の伸縮強化部１３７はウエスト１１部分から臀部の湾曲部を回避してその幅を狭くし、幅寸法をＷとして股部１５に延設している。
股部１５の伸縮強化部は臀部の幅寸法をＷとする伸縮強化部１３７が連続して形成される。
【００１６】
次に伸縮強化部１３３，１３７を説明する。伸縮強化部１３３，１３７の引張り強度は腹部、臀部・股部ともに縦横とも天竺部より伸縮性を強めている。さらに、横方向（筒状胴部の胴回り方向）より縦方向（中心線方向）の伸縮を強く形成され、さらに臀部の引張り強度を腹部の引張り強度より強めると、生理用品がずれにくくなる。具体的には表１に示す引張り強度を有することが好ましい。
【００１７】
ここで、引張り強度は、実際の編地を一定の力で引き伸ばして、その伸びを実測した。そして、天竺編の部分の伸びを１としたときの伸縮強化部の伸びを比であらわしている。ここで、横伸びとは胴回り方向への伸びを、縦伸びとは中心線方向への伸びを表している。
【００１８】
【表１】
2004137630.tif 000003
【００１９】
また、筒状胴部の天竺編の伸縮率を１としたときの伸縮強化部の縦・横方向の伸縮率を表２に示す。
表２には本発明のサニタリーショーツの各構成部の引張り強度、および編組成について記載する。
【表２】
2004137630.tif 000004
【００２０】
このように、腹部、臀部・股部ともにリブ編みの伸縮強化部は天竺編の筒状胴部より伸縮率が低く、伸縮性を強くしていることが分かる。更に、股部を連続する臀部は特に縦方向の伸縮性を強めている。
このように形成するサニタリーショーツ１０の股部１５にはクロッチ部２０を重合している。クロッチ部２０は生理用品を装着させる場合、生理用品を身体方向に押し上げる作用をなす。
【００２１】
次に、丸編素材からショーツを構成する方法を説明する。・・・図４〜図９参照
丸編み本体１００を編成する。まず、成形編機を使用して、ウエスト緊締部１１を編成した後、天竺編みにより円筒状に長さ寸法Ｌ１編み、筒状胴部１３を形成する。このとき、筒状胴部１３の対称位置に編組織を例えばリブ編みに変えた伸縮強化部１３３，１３７を同時に編成する。そして、腹部１３０に相当する半円部はリブ編みによる伸縮強化部１３３を編み止めて編み止め部（下端部）１３１を形成する。伸縮強化部１３３は腹部１３０の中央部分を被覆できる広さとし、編み止め部（下端部）１３１の幅寸法をＷとしている。
【００２２】
さらに、天竺編みにより円筒状編みを長さ寸法Ｌ２編む。このとき、臀部１３５に相当する半円部はウエスト緊締部１１からリブ編み部分を臀部の湾曲部を回避して形成しその幅を狭くした幅寸法Ｗとする。さらに幅寸法Ｗとする伸縮強化部１３７を長さ寸法Ｌ２リブ編みで編みつづける。この場合の長さ寸法Ｌ１は着用胴部の長さ寸法とし、長さ寸法Ｌ２は股部１５の長さ寸法とする。
このように編成する本体１００の両側を湾曲形状に切断して股繰り部１５１を形成する。
【００２３】
そして、腹部１３０の編み止め部（下端部）１３１にそって腹部下端を切断する。
これにより、編成本体１００は切り込んだ股繰り部１５１を形成する股部１５が連続された臀部１３５と、編み止め部（下端部）１３１を下端とする腹部１３０が筒状になった筒状胴部１３が形成される。
【００２４】
次に、クロッチ部２０を股部１５に取付ける。・・・図３〜図６参照
クロッチ部２０はナイロンなどの網組織（チュールネット）地で矩形状に形成され、長手方向の両端縁にはゴム等を取付けて端縁伸縮部２１を構成している。このクロッチ部２０の一端を筒状胴部１３の臀部１３５の下部（股部の一端）に固定し、股部１５に重合して取付ける。このとき、クロッチ部２０の幅寸法Ｖは臀部１３５の下部（股部の一端）の固定部の幅寸法と等しくしている。更に、クロッチ部２０の他端と股部１５の端部１５２を一緒にして腹部１３０の下端部（編み止め部１３１）に縫合する。このとき、クロッチ部２０の長さ寸法Ｋ１と股部１５の長さ寸法Ｋ２との関係を、Ｋ１＜Ｋ２とすることにより、股部１５に対してクロッチ部２０の湾曲形状の曲率半径が大きく、吊り上がり形状をなし、この部分に介在させる生理用品を確実に身体側押し当てる作用をなす。
なお、股部に伸縮強化部を形成しない形態においても、クロッチ部の吊り上がり現象で生理用品を身体側に押し当てる事ができる。
【００２５】
このように構成されるサニタリーショーツ１０は、全体に伸縮性があって履き易く、ナイロンハイマルチ糸とスパンテックスのダブルニットで薄地仕上げとなり、接触感覚が繊細で軟らかい風合いとなっている。そして、股部１５に装着される生理用品は、両側に取付翼部を有するものにおいては取付翼部をクロッチ部２０の裏側に折り込んで取付ける。生理用品はクロッチ部２０で身体側に押し上げられると共に、股部１５の伸縮強化部１３７がさらにクロッチ部２０を押さえつけるので、二重の保持となると共に、サニタリーショーツ１０は着用者の身体に密着し激しい体の動きにも生理用品が移動したり経血が漏れ出すことが無い。
【００２６】
また、サニタリーショーツ１０は、リブ編編成の伸縮強化部１３３，１３７と、その他の部分を天竺編とした筒状に編成した構成となっているので、胴部に縫合などによる結合部がなく、着用感がよい。さらに、股部１５の端部１５２と腹部１３０の端部を１ヶ所縫合等の手段で連結する事により生理用品保持機能を有するショーツが形成でき、製造工程を簡略化させる事ができ、経済的に提供することができる。
【００２７】
以上、全体を筒形状に編成した場合を説明したが、図１０に示すように、臀部・股部は連続して編成するが、腹部１３０は足繰り部１５１Ａを編立てにより形成し、長さ寸法Ｌ１で編み止めて腹部下端部１３１Ａを形成する丸編編成により形成するサニタリーショーツにおいても、同様の作用・効果を奏する。この場合、足繰り部の切断は破線で示すように臀部の延長部分の１枚の切断で股部が形成できる。
【００２８】
【発明の効果】
本発明によるサニタリーショーツは、着用者の身体に密着すると共に通気性を保ちながら生理用品の保持が確実にでき、かつ薄く着用感がよい。また、１ヶ所の縫製工程ですみ、製造工程が簡単でサニタリーショーツを経済的に提供することができる。
【図面の簡単な説明】
【図１】本発明に係るショーツの正面図。
【図２】本発明に係るショーツの背面図。
【図３】本発明に係るショーツの構成説明図。
【図４】本発明に係るショーツの股部の一部を破断した斜視図。
【図５】クロッチ部の説明図。
【図６】クロッチ部を取付けた股部の断面説明図。
【図７】丸編み本体の背面図。
【図８】丸編み本体の正面図。
【図９】本発明に係るショーツの構成説明図。
【図１０】他の実施例を示す構成説明図。
【符号の説明】
１０　サニタリーショーツ
１１　ウエスト部
１３　筒状胴部
１５　股部
２０　クロッチ部
１００　筒状本体
１３０　腹部
１３１　編み止め部（下端部）
１３３　伸縮強化部
１３５　臀部
１３７　伸縮強化部
１５１　股繰り部
【図１】
2004137630.tif 000005
【図２】
2004137630.tif 000006
【図３】
2004137630.tif 000007
【図４】
2004137630.tif 000008
【図５】
2004137630.tif 000009
【図６】
2004137630.tif 000010
【図７】
2004137630.tif 000011
【図８】
2004137630.tif 000012
【図９】
2004137630.tif 000013
【図１０】
2004137630.tif 000014